(57)【要約】【課題】  ハンドル支持部の正面（表面）とテーブル部の上部面（表面）が展開状態にあって同一面となる簡易テーブルを提供する【解決手段】  前板部２と、この前板部２に横折部３で連絡該前板部２の後ろ側に位置される後支持部４と、この後支持部４に横折部５で連絡されるテーブル支持部６と、このテーブル支持部６に下方から支持されるテーブル部８とからなっている。【選択図】図１
2010132153.tif 000002
【特許請求の範囲】
【請求項１】
前板部と、
この前板部に第１横折部で連絡されるとともに該第１横折部で折れて該前板部の後ろ側に位置して自動車のハンドル上に支持される後支持部と、
この後支持部に第２横折部で連絡されるテーブル支持部と、
このテーブル支持部に第３の横折部で連絡される且つ該テーブル支持部に下側から支持されるとともに、奥側を前記前板部および後支持部あるいはいずれか一方に支持されてテーブル状態となるテーブル部とからなることを特徴とする簡易テーブル。
【請求項２】
前板部と後支持部が接着剤、粘着剤、ステープラー針、粘着テープ、結束紐などの接合手段により接合され、この接合された前記前板部と後支持部の間に形成された紐、バンド、テープなどのハンドル取付手段を横に通すためのハンドル取付手段通部を形成し、このハンドル取付手段通部に前記ハンドル取付手段を通し設けてなることを特徴とする請求項１記載の簡易テーブル。
【請求項３】
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする請求項２記載の簡易テーブル。
【請求項４】
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする請求項２、３いずれか記載の簡易テーブル。
【発明の詳細な説明】
【技術分野】
【０００１】
本発明は、自動車のハンドルに取り付けて使用することができる簡易テーブルに関する。
【背景技術】
【０００２】
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片とからなるもので、一枚のダンボール製部材を一発打抜で形成されたものが知られている。（例えば特許文献１）
【０００３】
したがって、ハンドル寄り掛け板が正面となる表面である場合、テーブル部の上部面は裏面になるという欠点があった。
この欠点のために、広告をハンドル寄り掛け板の表面とテーブル部の上部面に印刷する場合には、一枚のダンボール製部材の表面と裏面の両面に印刷を施さなければならないのでコスト高になる、ハンドル寄り掛け板の表面とテーブル部の上部面を綺麗なコート仕上げにする場合には、ダンボール製部材の表面と裏面の両面にコートを施さなければならないのでコスト高になる、裏面を安価な素材にした場合にはテーブル面も安価な見栄えと質感の劣る素材になってしまい、見栄えと質感の悪いものになってしまうものであった。
また、簡易テーブルの形態形成したあとで印刷する、塗布する、広告印刷物を貼り付けるなどにおいては、ハンドル寄り掛け板が正面となる表面でおよびテーブル部の上部面にそれらを施す場合は、ハンドル寄り掛け板面に施し、さらに裏返して施す作業を行わなければならないことになり、作業効率性が悪いという問題を持つものであった。
【特許文献１】特開2004-345623号公報
【非特許文献１】特に無し
【発明の開示】
【発明が解決しようとする課題】
【０００４】
本発明は以上のような従来技術の欠点に鑑み、テーブルを形成する各部位が横折部により連結されて、該横折部での折りにより自動車のハンドルに装着した状態でテーブル状態とできる簡易テーブルにあって、ハンドル支持部の正面（表面）とテーブル部の上部面（表面）が展開状態にあって同一面となる簡易テーブルを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために本発明は次に述べるような構成となっている。
＜請求項１記載の発明＞
前板部と、
この前板部に第１横折部で連絡されるとともに該第１横折部で折れて該前板部の後ろ側に位置して自動車のハンドル上に支持される後支持部と、
この後支持部に第２横折部で連絡されるテーブル支持部と、
このテーブル支持部に第３の横折部で連絡される且つ該テーブル支持部に下側から支持されるとともに、奥側を前記前板部および後支持部あるいはいずれか一方に支持されてテーブル状態となるテーブル部とからなることを特徴とする簡易テーブルである。
横折部は、一枚の板材を横折部となる部位を押し潰したり熱変形などで薄くしたりして形成した折目、合成樹脂製部材の一体成型により形成したヒンジ部、別体である板材を粘着テープ、紐部材などで折れるように連結して形成した該粘着テープ部分、該紐部分で形成した折畳み形態など、折畳み形態を実現するものの全ての形態を含むものである。
素材は、紙製ダンボール部材、プラスチック製ダンボール部材、木製板部材、合成樹脂製部材の一体成型によるものなど多様な部材が使用できる。
また、後支持部、テーブル支持部は枠部材でも良い。
また、第１横折部を始めとする各横折部は一箇所の横折部だけに限定するものではなく、間隔をあけて設けられた複数の横折部からなる形態も、本発明の技術的範疇に含まれるものである。
＜請求項２記載の発明＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする請求項１記載の簡易テーブルである。
＜請求項３記載の発明＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする請求項２記載の簡易テーブルである。
＜請求項４記載の発明＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする請求項２、３いずれか記載の簡易テーブル。
【発明の効果】
【０００７】
以上の説明から明らかなように、本発明にあっては次に列挙する効果が得られる。
＜請求項１記載の発明の効果＞
前板部と、
この前板部に第１横折部で連絡されるとともに該第１横折部で折れて該前板部の後ろ側に位置して自動車のハンドル上に支持される後支持部と、
この後支持部に第２横折部で連絡されるテーブル支持部と、
このテーブル支持部に第３の横折部で連絡される且つ該テーブル支持部に下側から支持されるとともに、奥側を前記前板部および後支持部あるいはいずれか一方に支持されてテーブル状態となるテーブル部とからなることを特徴とする簡易テーブルであるので、以下のような効果を奏する。
（１）テーブル形成状態にあっては、前板部の表面は使用者の正面向きである前向きに位置し、
上部側で後ろに第１の横折部で下向き折られて前記前板部の後に重なり位置した前記後支持部の表面は後ろ向きとなり、
前記後支持部の下部側で第２位横折部で前側に折り上げられたテーブル支持部の表面は使用者の正面向きである前向きに位置し、
前記テーブル支持部の上部側で第３の横折部で奥側に向けて折られたテーブル部の表面は上向きに位置するものである。
すなわち、テーブル状態である人から見える部位である前板部の表面、テーブル支持部の表面およびテーブル部の表面はテーブル形成前にあっては、同一表面であるという効果を奏する。
よって、テーブル形成前の展開状態にあっての同一面（表面）に印刷、貼り付けなどによる広告、模様などの表記を施すことによって表記面（表記を施すことが可能な表記可能面を含む）と、テーブル状態にあってはハンドルに縦状態で表記面が正面に位置して見え、テーブル部の上面もやはり表記面となるものである。すなわち、展開状態にあっての同一面である表面にのみ印刷、貼り付けなどを施した表記面とすることで、テーブル状態にあっては、ハンドル支持部面およびテーブル上面が表記面となるという効果を奏するものである。
裏面への印刷をしなくても、テーブル状態にあっては、人から見える表面部位が表記面となるので、表裏の両面印刷に比べて、印刷版の数、印刷工程、作業などが略半減とでき印刷費を軽減できるものである。
（２）裏面はテーブル状態においてその全面が表にならない隠れ面となるので、表面のような例えば光沢コートなどの見栄えや質感をよくするための高コストのコート処理を行わず、低コストの素材とできるので、その分低コスト化を実現するものである。
以上のことから明らかであるように、本発明の技術的思想（考え方）は、横折部で折りテーブル状態ないし棚状態（この形態もテーブル状態に含む。）とする折畳み形態の簡易テーブル（簡易棚を含む）において、該テーブル形成状態にあっては、縦状態面とテーブル上面とテーブル支持部面とが表面（表記可能同一面）とうい、展開状態（平状態）での同一面（表面）によって形成することができるというところにある。
このような、技術思想（考え方）は先行技術文献１を始めとする従来技術にないものである。
＜請求項２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする請求項１記載の簡易テーブルであるので、請求項１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜請求項３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする請求項２記載の簡易テーブルであるので、請求項２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜請求項４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする請求項２、３いずれか記載の簡易テーブルであるので、請求項２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【発明を実施するための最良の形態】
【０００８】
以下、図面に示す発明を実施するための最良の形態により、本発明を詳細に説明する。ただし、本発明はこれらのみに限定されるものではない。
【０００９】
＜第１の実施の形態＞
図１ないし図５に示す本発明を実施するための最良の第１の実施の形態において、１は簡易テーブルであり該簡易テーブル１は一枚のダンボール製板部材を一回の打抜成形により形成した、一枚のダンボール製板部材からなるものである。
簡易テーブル１は、
前板部２と、
この前板部２に横折部３で連絡されるとともに該横折部３で折れて該前板部２の後ろ側に位置して自動車のハンドルＡ側に支持される後支持部４と、
前板部２と該前板部２２に重ね合わされた後支持部４で形成されるハンドル支持部と、
前記後支持部４に横折部５で連絡されるテーブル支持部６と、
このテーブル支持部６に横折部９および横折部７とその間のテーブル下接合部１０で連絡される、且つ、該テーブル支持部６に下側から略中央を支持されるとともに、奥側を前記前板部２および後支持部３（あるいはいずれか一方に支持される形態もよい）テーブル状態となるテーブル部８と、
前記テーブル支持部６に設けられた横折部９と、
この横折部９と前記横折部７の間に形成されたテーブル部８の底部に接着、粘着テープ、紐などにより接合されてなるテーブル下接合部１０と、
前記テーブル部８の前記板部２あるいは前記後支持部４に支持されて該テーブル部８のテーブル状態を保持状態とするための、該テーブル部８の中程に横折部１１で連絡された差込片２２と、
この差込片２２の左に縦折部１２で連絡されたロック片１３と、
前記差込片２２の右に縦折部１４で連絡されたロック片１５と、
前記前板部２のテーブル状態での下部側に設けられた前記ロック片１３、１５を折重ねて差込片２２を差し込むための差込孔１６、１７と、
前記後支持部４のテーブル状態での下部側に設けられた、前記差込孔１６、１７に重なる差込孔１８、１９と、
前記テーブル部８に開けられたドリンクホルダ孔２０とからなっている。
展開状態における表面図（図中右図）の正面を表記面（表記可能面）として、米字模様の表記２１が全面印刷されている。
展開状態における表面図（図中右図）の正面を表記面（表記可能面）として、米字模様の表記２１を前板部２とテーブル部８のみに表記２１を印刷する、貼り付けるということをおこなう形態も本発明の技術的範疇に含まれるものである。
横折部９と横折部７との二つの横折部は、請求項１の第３の横折部に対応している。すなわち請求項１の第３の折部は、第１の実施の形態のような横折部９と横折部７という、複数の横折部により形成されてなる形態も含むものである。
折り畳んだ状態で２２ｃｍ（縦）×３０．５ｃｍ（横）を実現しており、これよりも小さいものも可能である。
【００１０】
図１の裏面図において、Ｅ１〜Ｅ４は接合部位であり、同じ符号（接合部位Ｅ１と接合部位Ｅ１というように）が互いに対峙して接着剤により接着される接合部位となる。いずれか一方にあるいは両方に接着剤が塗布される。
あるいは、接合部位Ｅ１〜Ｅ４は対峙固定部位であり、同じ符号（接合部位Ｅ１と接合部位Ｅ１というように）が互いに対峙して透明の粘着テープにより左右の縁を合わせ固定してなる形態もよい。
接合された前板部２と後支持部４の間に紐、バンド、テープなどのハンドル取付手段２４を横に移動可能に通すためのハンドル取付手段通部２５を形成している。
接合部位Ｅ１および接合部位Ｅ１を設けない形態とし、ハンドル取付手段通部２５を最上部に位置するようにする形態もよい。その分テーブル部８を下方に位置させることができる。
ロック片１３、ロック片１５はいずれか一方のみでも良い。
【００１１】
図４の（ｂ）図ないし（ｃ）図において、ハンドル取付手段２４は、例えば積水樹脂株式会社の商品名コートバンドがあげることができ、その材質および構造は、薄平形態の耐候性のある特殊樹脂からなる合成樹脂性紐本体２６と、この合成樹脂性紐本体２６に２筋以上（一般的には２筋〜３筋で幅が１０ｍｍ〜２０ｍｍが好適）で形成した、中にＰ．Ｐ（ポリプロピレン）製の芯材３２を内設してなる太筋部位２７ａ、２７ｂ、２７ｃとからなり、太筋部位２７ａ、２７ｂ、２７ｃ内には芯材としてＰ．Ｐ（ポリプロピレン）紐あるいはＰ．Ｐ（ポリプロピレン）バンドが内設されてなるビニール製紐である。別の見方をするならＰ．Ｐ（ポリプロピレン）紐あるいはＰ．Ｐ（ポリプロピレン）バンドに耐候性のある特殊樹脂をコーティングしたコートバンド（コート紐）である。
薄平らな芯材（１筋）に耐候性の特殊樹脂を薄平らにコーティングしてなる構造のものもよい。
以下に代表的な上記と同様なヒモ・バンドを紹介する。
＊積水樹脂株式会社
のコードバンド、材質および構造（ポリプロピレンの芯材に耐候性特殊樹脂を平紐形態でコーティング）、用途（ハウス押え）。
＊石本マオラン株式会社のマイカ線（登録商標）、材質（LDPE・HDPE複合）、用途（ハウス押え）。
＊合資会社 浅井染工場のブラックバンド、材質および構造（被膜はリニアポリエチレン樹脂を使用し、擦れ・被膜強度に優れています。被膜の中の糸にはPE400デニール原糸を使用。耐久性・引っ張り強度に優れています）、用途（ビニールハウス押えヒモ、結束用バンド）
＊シーアイ化成株式会社のスカイコートバンド、材質、構造および用途（EXはPO系の素材を使用した6芯入りの強力なバンドです。表面の凹凸が少ないのでフィルムのこすれ破れが防げます。幅の広い「面」で押さえる、農業用POフィルムに適した押さえバンドです。）
＊東罐興産のTAベルト（農PO用）、構造および用途（幅12ｃｍの広幅で、両側に補強糸を配した画期的なフィルム抑えベルトです。特に、こすれに弱いＰＯフィルムの抑えに最適です。）
＊大豊化学工業のタイレンバンド。
＊中部農材のキョージンバンド。
ハンドル取付手段２４は、一般的に園芸用、農業用、林業などで使用されているもので、木の枝の吊り支持、ビニールハウスの固定支持、結束バンド・紐などとして使用されている柔らか結束がし易い平紐形態のものであって、ホームセンターなどでの一巻き購入で通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い滑り止め効果を形成するものであるからして、低コスト、耐光、耐久、強靭性を有するとともに、ハンドルとの強い摩擦によってテーブルが容易には左右に傾きが起きない安定性を実現するハンドル取付手段として最適な機能を発揮するものである。
【００１２】
図４の（ａ）において、ハンドル取付手段通部２５に通されたハンドル取付手段２４の通しかたが、後支持部４に該ハンドル取付手段２４が回されてハンドル通し部位２８を形成し、該ハンドル取付手段２４の一方が右側から通されその一方の端が左側から外に出された左引張部位２９を形成し、該ハンドル取付手段２４の他方が左側から通されその一方の端が右側から外に出された右引張部位３０を形成し、前記ハンドル通し部位２８を引き広げてハンドルＡを通し、前記左引張部位２９と前記右引張部位３０を引っ張って該ハンドル通し部位２８を締めて後支持部４を該ハンドルＡに固定可能（取付可能）にしている。
ハンドル取付手段２４の両端には該両端が簡易テーブル１内に引き込まれてしまうのを止めるとともに、掴み引っ張りやすくするためのストッパー３１ａ、３１ｂが取り付けられている。ストッパー３１ａ、３１ｂはアクセントにもなるので、花形態、動物形態、キャラ形態など装飾的なものとするのが好ましい。
ハンドル通し部位２８を右引張部位３０と左引張部位２９あるいはいずれか一方を引っ張ることにより縮め、該ハンドル通し部位２８を引っ張ることによって該ハンドル通し部位２８（ループ）を広げることができるとともに、ハンドル取付手段通部２５に通されたハンドル取付手段２４の２本の部位が前板部と後支持部とに挟まれて、あるいはハンドル取付手段の２本の部位が絡まるなどして、摩擦状態（擦れ移動可能状態）とされているので、ハンドルＡを該ハンドル通し部位２８に通した形態で右引張部位３０と左引張部位２９を引っ張ることにより縮め該ハンドル通し部位２８（ループ）を縮め締め付け固定状態（取付状態）とでき、前記摩擦状態によって該締め付け固定状態を保持することができるものであるので、大きさや太さの異なるハンドルでも、取り付けるハンドルを他の太さ大きさのものに変えても（使用する自動車を替える）最適な締め付け状態で取り付け使用できる。
【００１３】
（発明を実施するための異なる形態）
次に、本発明を実施するための異なる形態について説明する。なお、これら本発明を実施するための異なる形態の説明に当たって、前述してある実施の形態と同一構成部分には同一符号を付して重複する説明を省略する。
【００１４】
＜第２の実施の形態＞
図６ないし図８に示す本発明を実施するための最良の第２の実施の形態において前記第１の実施の形態とおもに異なる点は、接着剤による接合部位である接合部位Ｅ１〜Ｅ４を設けない、差込孔１６、１７、１８、１９を設けないで、前板部２の左右側部に接合片３５ａ、３５ｂを設け、テーブル部８の左右側部の横折部７に近接する部位に接合片３６ａ、３６ｂを設け、接合片３５ａ、３５ｂに接着剤を塗布して前板部２と後支持部４を合わせた状態で該後支持部４に折りまわして接着して、前板部２と後支持部４の合わせ接合状態を固定し、接合片３６ａ、３６ｂに接着剤を塗布してテーブル下接合部１０とテーブル部８とを合わせた状態で該接合片３６ａ、３６ｂを折りまわして接着して、テーブル部８にテーブル下接合部１０の接合状態を固定し、前板部２と後支持部４に座席に座った使用者の腿に該前板部２および後支持部４を載せてテーブル使用形態にする場合に、差込片２２を差込通して膝に挟めるようにするための差込孔３８ａ、３８ｂを設けてなる簡易テーブル３７を形成した点にある。
ハンドルＡにセットした状態で、ロック片１３とロック片１５をクリップ３９ａ、３９ｂで前板部２および後支持部４に取り付けてテーブル部８をテーブル状態としそれを保持する。
【００１５】
＜第３の実施の形態＞
図９、図１０に示す本出願人が発明したところの第３実施の形態において前記第１の実施の形態とおもに異なる点は、前板部２、後支持部３、テーブル支持部６、テーブル部８、テーブル下接合部１０はそれぞれは分離した部材とし、横折部３、５、９、７を粘着テープ製部材、横折部であるヒンジー部が形成された合成樹脂製薄板部材などの横折部形成部材４２、４３、４４、４５により形成して、前板部２、後支持部３、テーブル支持部６、テーブル部８、テーブル下接合部１０は横折部形成部材４２、４３、４４、４５により連結されてなる構成とした簡易テーブル４６を形成した点にある。
テーブル形成状態においては、前板部２を後にして後支持部４を前（正面）とする形態とするために、横折部形成部材４２、４３は裏面に設け、横折部形成部材４４、４５は表面に設けた構成としている。
前板部２は短くしてハンドル取付手段通部２５を形成する幅とするのもよい。
図９においては、接合部位Ｅ１〜Ｅ４は省略している。
【００１６】
［付記Ａ］
［背景技術］
［０００２］
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片と、ハンドル寄り掛け板の上部側左右に設けられた数ｃｍの切り込みに入れられてハンドルに上から被せるようして該ハンドルが入るループを形成する真っ直ぐに張られた紐（以下「ハンドル取り付け紐」という。）と、前記左右の切り込み間に形成された折部と、この折部で後ろ側に折られてハンドル寄り掛け板の裏面に接着される部位とかなる簡易テーブル（図４５、図４６）が知られている。（例えば特許文献１）
［０００３］
ハンドル取り付け紐のループが固定された形態であるので、テーブルおよびハンドル寄り掛け板をハンドルと略同じ幅（一般的な普通乗用自動車および軽乗用自動車はハンドル径は３７ｃｍ〜３８ｃｍ）とした場合、甘く見て切り込みが２ｃｍとしても、ループを形成する紐の長さは３３ｃｍ〜３４ｃｍというハンドルの横幅よりも４ｃｍ短いものになっているものである。
ハンドルの横幅よりも４ｃｍ短い真っ直ぐに張られたハンドル取り付け紐により形成されたループに通されるハンドル部位は、ハンドルの厚みもあって該ハンドルの上部側に留まってしまうものであった。
テーブル部は使用しやすいハンドルの下部側位置にする必要があり、これを実現するために引用文献１の技術ではハンドル寄り掛け板の長さをハンドルと略同じないしそれより長いものとしなければならいものであった。これは、ハンドル寄り掛け板が３７ｃｍ以上と長すぎて、折畳み状態でも３７ｃｍ以上となり、Ａ４版の雑誌の付録にでき難い、社内の置き場所が限定されるなど、大きすぎるという欠点を有するものであった。
また、紐の結び目が外に露出して目障りである、全体の美観を損ねるという欠点を有するものであった。
また、テーブル部のテーブル状態を支持するハンドル寄り掛け板が３７ｃｍ以上と長いとともに、一枚板からなるものであるので、特にダンボール製部材で形成した場合、テーブル部に荷重を加えるとハンドル寄り掛け板が反り、安定性および堅固性に不安を感じさせてしまうという欠点を有するものであった。
また、ハンドル取り付け紐については特に限定はないが、一般的には木綿紐、合成樹脂製紐などの丸紐が考えられる。
しかし、これら丸紐はハンドルとの関係では十分な摩擦接触が得られないので、左右に荷重が掛るとテーブル部が傾きやすいという欠点を有するものであった。
また、摩擦の強いゴムバンドを使用することが考えられるが、ゴムバンドは切れ部位などが生じた場合にはその部分から一気に切断してしまう危険があり、高価であるという欠点を有するものである。
［特許文献１］  特開2004-345623号公報
［非特許文献１］  特に無し
［発明の開示］
［発明が解決しようとする課題］
［０００４］
本発明は以上のような従来技術の欠点に鑑み、ダンボール製部材などの高強度部材でない素材でも、ハンドル支持部（ハンドル寄り掛け板）の堅固な強さが得られるとともに該ハンドル支持部テーブルを大幅に短い形態とした簡易テーブルを提供することを目的としている。
［０００５］
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
［課題を解決するための手段］
［０００６］
上記目的を達成するために本発明は次に述べるような構成となっている。
＜付記Ａ１記載の発明＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルである。
＜付記Ａ２記載の発明＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブル。
＜付記Ａ３記載の発明＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブル。
＜付記Ａ４記載の発明＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブル。
［発明の効果］
［０００７］
以上の説明から明らかなように、本発明にあっては次に列挙する効果が得られる。
＜付記Ａ１記載の発明の効果＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルであるので、以下のような効果を奏する。
ハンドル取付手段がテーブル支持部の上部側に設けられるとともに、ハンドルの最大幅部位あるいは該最大幅部位近辺に装着できるようにループを該ハンドルの最大幅部位の大きさに合わせた形態とすることができるものであるので、ハンドル支持部の上部部位はハンドルの略中ほどに位置するようになり、よって従来の簡易テーブルの略半分とういう短いものにできる。
よって、テーブル部のハンドル支持部による支持状態は、従来の略半分の短さと２枚の板材による支持となるので、テーブル部のテーブル状態の支持が堅固で安定性のあるものにできるという効果を奏する。
すなわち、本発明の構成によって略Ａ４版の大きさに近いないしそれより少し大きい、Ａ４版雑誌の付録として活用できる大きさを実現し、また、コンパクトな形態により車内の置き場所を広げるものである。
具体的には、第１の実施の形態の簡易テーブルにおいては、折り畳んだ状態で２２ｃｍ（縦）×３０．５ｃｍ（横）を実現しており、これよりも小さいものも可能である。
＜付記Ａ２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブルであるので、付記Ａ１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜付記Ａ３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブルであるので、付記Ａ２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ａ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブルであるので、付記Ａ２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【００１７】
［付記Ｂ］
＜付記Ｂ１記載の発明の効果＞
自動車のハンドルに取り付けてテーブル状態を形成して使用する簡易テーブルであって、
ハンドルに支持される前板部と、
この前板部の裏面に接合された後支持部と、
前記前板部をハンドルに取り付け固定するための紐、バンド、テープなどのハンドル取付手段と、
前記前板部と前記後支持部との間で該前板部の上部側に形成された、前記ハンドル取付手段を横に移動可能に通してなるハンドル取付手段通部とからなることを特徴とする簡易テーブルであるので、以下のような効果を奏する。
（１）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
（２）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
＜付記Ｂ２記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ｂ１記載の簡易テーブルであるので、付記Ｂ１記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ｂ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ｂ１、２いずれか記載の簡易テーブルであるので、付記Ｂ１、２記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【産業上の利用可能性】
【００１８】
本発明は自動車のハンドルにセットして使用する簡易テーブルを製造する産業で利用される。
【図面の簡単な説明】
【００１９】
【図１】本発明を実施するための最良の第１の実施の形態の展開表面図および展開裏面図。
【図２】本発明を実施するための最良の第１の実施の形態の接合部位を接合した状態の側面図、接合部位を接合した状態の折畳み側面図およびハンドルに装着しテーブル状態とした側面図。
【図３】本発明を実施するための最良の第１の実施の形態のハンドルに装着しテーブル状態とした正面図。
【図４】本発明を実施するための最良の第１の実施の形態の腿の上に載せた使用状態を示す側面図。
【図５】本発明を実施するための最良の第１の実施の形態のハンドル取付手段通部とハンドル取付手段の摂りつけ状態を示す断面図（ａ）、ハンドル取付手段の断面図（ｂ）およびハンドル取付手段の他の形態の断面図（ｃ）。
【図６】本発明を実施するための最良の第２の実施の形態の展開表面図および展開裏面図。
【図７】本発明を実施するための最良の第２の実施の形態のハンドルに装着しテーブル状態とした側面図およびハンドルに装着しテーブル状態とした正面図。
【図８】本発明を実施するための最良の第２の実施の形態の腿の上に載せた使用状態を示す側面図。
【図９】本出願人が発明したところの第３実施の形態の展開表面図、展開裏面図おおび展開側面図。
【図１０】本出願人が発明したところの第３の実施の形態の接合部位を接合した状態の側面図、接合部位を接合した状態の折畳み側面図およびハンドルに装着しテーブル状態とした側面図。
【符号の説明】
【００２０】
Ａ：ハンドル、
Ｅ１〜Ｅ４：接合部位、
１：簡易テーブル、
２：前板部、
３：横折部、
４：後支持部、
５：横折部、
６：テーブル支持部、
７：横折部、
８：テーブル部、
９：横折部、
１０：テーブル下接合部、
１１：横折部、
１２：縦折部、
１３：ロック片、
１４：縦折部、
１５：ロック片、
１６：差込孔、
１７：差込孔、
１８：差込孔、
１９：差込孔、
２０：ドリンクホルダ孔、
２１：表記、
２２：差込片、
２４：ハンドル取付手段、
２５：ハンドル取付手段通部、
２６：合成樹脂性紐本体、
２７ａ、２７ｂ、２７ｃ、２７ｄ：太筋部位、
２８：ハンドル通し部位、
２９：左引張部位、
３０：右引張部位、
３１ａ、３１ｂ：ストッパー、
３２：芯材、
３５ａ、３５ｂ：接合片、
３６ａ、３６ｂ：接合片、
３７：簡易テーブル、
３８ａ、３８ｂ：差込孔、
３９ａ、３９ｂ：クリップ、
４２：横折部形成部材、
４３：横折部形成部材、
４４：横折部形成部材、
４５：横折部形成部材、
４６：簡易テーブル。
【図１】
2010132153.tif 000003
【図２】
2010132153.tif 000004
【図３】
2010132153.tif 000005
【図４】
2010132153.tif 000006
【図５】
2010132153.tif 000007
【図６】
2010132153.tif 000008
【図７】
2010132153.tif 000009
【図８】
2010132153.tif 000010
【図９】
2010132153.tif 000011
【図１０】
2010132153.tif 000012
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
ハンドル上に支持される後支持部（４）と、
この後支持部（４）の上部側と横折部（３）で連絡された、横折部（３）で前方に折り下げられて後支持部（４）に裏面と裏面を合わせた状態で、少なくとも下部側が後支持部（４）に接合固定されてなる前板部（２）と、
後支持部（４）の下部側と横折部（５）で連絡された、横折部（５）で前方に折上げられるテーブル支持部（６）と、
前板部（２）に設けられた差込孔（１６）と、
後支持部（４）に設けられた、差込孔（１６）と重なって差込孔を形成する差込孔（１８）と、
テーブル支持部（６）に横折部（７）で連絡された、横折部（７）で前板部（２）向けて折られその先端側を前板部（２）および後支持部（４）に支持され、下側をテーブル支持部（６）で支持され、表面をテーブル面にしてテーブル状態とされるテーブル部（８）と、
このテーブル部（８）の端部に横折部（１１）で連絡された、差込孔（１６）、（１８）に差し込まれ横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブル。
【手続補正２】
【補正対象書類名】明細書
【補正対象項目名】全文
【補正方法】変更
【補正の内容】
【発明の詳細な説明】
【技術分野】
【０００１】
本発明は、自動車のハンドルに取り付けて使用することができる簡易テーブルに関する。
【背景技術】
【０００２】
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片とからなるもので、一枚のダンボール製部材を一発打抜で形成されたものが知られている。（例えば特許文献１）
【０００３】
したがって、ハンドル寄り掛け板が正面となる表面である場合、テーブル部の上部面は裏面になるという欠点があった。
この欠点のために、広告をハンドル寄り掛け板の表面とテーブル部の上部面に印刷する場合には、一枚のダンボール製部材の表面と裏面の両面に印刷を施さなければならないのでコスト高になる、ハンドル寄り掛け板の表面とテーブル部の上部面を綺麗なコート仕上げにする場合には、ダンボール製部材の表面と裏面の両面にコートを施さなければならないのでコスト高になる、裏面を安価な素材にした場合にはテーブル面も安価な見栄えと質感の劣る素材になってしまい、見栄えと質感の悪いものになってしまうものであった。
また、簡易テーブルの形態形成したあとで印刷する、塗布する、広告印刷物を貼り付けるなどにおいては、ハンドル寄り掛け板が正面となる表面でおよびテーブル部の上部面にそれらを施す場合は、ハンドル寄り掛け板面に施し、さらに裏返して施す作業を行わなければならないことになり、作業効率性が悪いという問題を持つものであった。
【特許文献１】特開2004-345623号公報
【非特許文献１】特に無し
【発明の開示】
【発明が解決しようとする課題】
【０００４】
本発明は以上のような従来技術の欠点に鑑み、テーブルを形成する各部位が横折部により連結されて、該横折部での折りにより自動車のハンドルに装着した状態でテーブル状態とできる簡易テーブルにあって、ハンドル支持部の正面（表面）とテーブル部の上部面（表面）が展開状態にあって同一面となる簡易テーブルを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために本発明は次に述べるような構成となっている。
＜請求項１記載の発明＞
ハンドル上に支持される後支持部（４）と、
この後支持部（４）の上部側と横折部（３）で連絡された、横折部（３）で前方に折り下げられて後支持部（４）に裏面と裏面を合わせた状態で、少なくとも下部側が後支持部（４）に接合固定されてなる前板部（２）と、
後支持部（４）の下部側と横折部（５）で連絡された、横折部（５）で前方に折上げられるテーブル支持部（６）と、
前板部（２）に設けられた差込孔（１６）と、
後支持部（４）に設けられた、差込孔（１６）と重なって差込孔を形成する差込孔（１８）と、
テーブル支持部（６）に横折部（７）で連絡された、横折部（７）で前板部（２）向けて折られその先端側を前板部（２）および後支持部（４）に支持され、下側をテーブル支持部（６）で支持され、表面をテーブル面にしてテーブル状態とされるテーブル部（８）と、
このテーブル部（８）の端部に横折部（１１）で連絡された、差込孔（１６）、（１８）に差し込まれ横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブルである。
横折部は、一枚の板材を横折部となる部位を押し潰したり熱変形などで薄くしたりして形成した折目、合成樹脂製部材の一体成型により形成したヒンジ部、別体である板材を粘着テープ、紐部材などで折れるように連結して形成した該粘着テープ部分、該紐部分で形成した折畳み形態など、折畳み形態を実現するものの全ての形態を含むものである。
素材は、紙製ダンボール部材、プラスチック製ダンボール部材、木製板部材、合成樹脂製部材の一体成型によるものなど多様な部材が使用できる。
また、後支持部、テーブル支持部は枠部材でも良い。
また、第１横折部を始めとする各横折部は一箇所の横折部だけに限定するものではなく、間隔をあけて設けられた複数の横折部からなる形態も、本発明の技術的範疇に含まれるものである。
【発明の効果】
【０００７】
以上の説明から明らかなように、本発明にあっては次に列挙する効果が得られる。
＜請求項１記載の発明の効果＞
ハンドル上に支持される後支持部（４）と、
この後支持部（４）の上部側と横折部（３）で連絡された、横折部（３）で前方に折り下げられて後支持部（４）に裏面と裏面を合わせた状態で、少なくとも下部側が後支持部（４）に接合固定されてなる前板部（２）と、
後支持部（４）の下部側と横折部（５）で連絡された、横折部（５）で前方に折上げられるテーブル支持部（６）と、
前板部（２）に設けられた差込孔（１６）と、
後支持部（４）に設けられた、差込孔（１６）と重なって差込孔を形成する差込孔（１８）と、
テーブル支持部（６）に横折部（７）で連絡された、横折部（７）で前板部（２）向けて折られその先端側を前板部（２）および後支持部（４）に支持され、下側をテーブル支持部（６）で支持され、表面をテーブル面にしてテーブル状態とされるテーブル部（８）と、
このテーブル部（８）の端部に横折部（１１）で連絡された、差込孔（１６）、（１８）に差し込まれ横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブルであるので、以下のような効果を奏する。
１．テーブル形成状態にあっては、前板部（２）の表面は使用者の正面向きである前向きに位置し、
上部側で後ろに横折部（３）で下向き折られて前板部（２）の後に重なり位置した後支持部（４）の表面は後ろ向きとなり、
後支持部（４）の下部側で横折部（５）で前側に折り上げられたテーブル支持部（６）の表面は使用者の正面向きである前向きに位置し、
テーブル支持部（６）の上部側で横折部（７）で奥側に向けて折られたテーブル部（８）の表面は上向きに位置するものである。
すなわち、テーブル状態である人から見える部位である前板部（２）の表面、テーブル支持部（６）の表面およびテーブル部（８）の表面はテーブル形成前にあっては、同一表面であるという効果を奏する。
よって、テーブル形成前の展開状態にあっての同一面（表面）に印刷、貼り付けなどによる広告、模様などの表記を施すことによって表記面（表記を施すことが可能な表記可能面を含む）と、テーブル状態にあってはハンドルに縦状態で表記面が正面に位置して見え、テーブル部（８）の上面もやはり表記面となるものである。すなわち、展開状態にあっての同一面である表面にのみ印刷、貼り付けなどを施した表記面とすることで、テーブル状態にあっては、ハンドル支持部面およびテーブル上面が表記面となるという効果を奏するものである。
裏面への印刷をしなくても、テーブル状態にあっては、人から見える表面部位が表記面となるので、表裏の両面印刷に比べて、印刷版の数、印刷工程、作業などが略半減とでき印刷費を軽減できるものである。
２．裏面はテーブル状態においてその全面が表にならない隠れ面となるので、表面のような例えば光沢コートなどの見栄えや質感をよくするための高コストのコート処理を行わず、低コストの素材とできるので、その分低コスト化を実現するものである。
以上のことから明らかであるように、本発明の技術的思想（考え方）は、横折部で折りテーブル状態ないし棚状態（この形態もテーブル状態に含む。）とする折畳み形態の簡易テーブル（簡易棚を含む）において、該テーブル形成状態にあっては、縦状態面とテーブル上面とテーブル支持部面とが表面（表記可能同一面）とうい、展開状態（平状態）での同一面（表面）によって形成することができるというところにある。
このような、技術思想（考え方）は先行技術文献１を始めとする従来技術にないものである。
【発明を実施するための最良の形態】
【０００８】
以下、図面に示す発明を実施するための最良の形態により、本発明を詳細に説明する。ただし、本発明はこれらのみに限定されるものではない。
【０００９】
＜第１の実施の形態＞
図１ないし図５に示す本発明を実施するための最良の第１の実施の形態において、１は簡易テーブルであり該簡易テーブル１は一枚のダンボール製板部材を一回の打抜成形により形成した、一枚のダンボール製板部材からなるものである。
簡易テーブル１は、
前板部２と、
この前板部２に横折部３で連絡されるとともに該横折部３で折れて該前板部２の後ろ側に位置して自動車のハンドルＡ側に支持される後支持部４と、
前板部２と該前板部２２に重ね合わされた後支持部４で形成されるハンドル支持部と、
前記後支持部４に横折部５で連絡されるテーブル支持部６と、
このテーブル支持部６に横折部９および横折部７とその間のテーブル下接合部１０で連絡される、且つ、該テーブル支持部６に下側から略中央を支持されるとともに、奥側を前記前板部２および後支持部３（あるいはいずれか一方に支持される形態もよい）テーブル状態となるテーブル部８と、
前記テーブル支持部６に設けられた横折部９と、
この横折部９と前記横折部７の間に形成されたテーブル部８の底部に接着、粘着テープ、紐などにより接合されてなるテーブル下接合部１０と、
前記テーブル部８の前記板部２あるいは前記後支持部４に支持されて該テーブル部８のテーブル状態を保持状態とするための、該テーブル部８の中程に横折部１１で連絡された差込片２２と、
この差込片２２の左に縦折部１２で連絡されたロック片１３と、
前記差込片２２の右に縦折部１４で連絡されたロック片１５と、
前記前板部２のテーブル状態での下部側に設けられた前記ロック片１３、１５を折重ねて差込片２２を差し込むための差込孔１６、１７と、
前記後支持部４のテーブル状態での下部側に設けられた、前記差込孔１６、１７に重なる差込孔１８、１９と、
前記テーブル部８に開けられたドリンクホルダ孔２０とからなっている。
展開状態における表面図（図中右図）の正面を表記面（表記可能面）として、米字模様の表記２１が全面印刷されている。
展開状態における表面図（図中右図）の正面を表記面（表記可能面）として、米字模様の表記２１を前板部２とテーブル部８のみに表記２１を印刷する、貼り付けるということをおこなう形態も本発明の技術的範疇に含まれるものである。
横折部９と横折部７との二つの横折部は、請求項１の第３の横折部に対応している。すなわち請求項１の第３の折部は、第１の実施の形態のような横折部９と横折部７という、複数の横折部により形成されてなる形態も含むものである。
折り畳んだ状態で２２ｃｍ（縦）×３０．５ｃｍ（横）を実現しており、これよりも小さいものも可能である。
【００１０】
図１の裏面図において、Ｅ１〜Ｅ４は接合部位であり、同じ符号（接合部位Ｅ１と接合部位Ｅ１というように）が互いに対峙して接着剤により接着される接合部位となる。いずれか一方にあるいは両方に接着剤が塗布される。
あるいは、接合部位Ｅ１〜Ｅ４は対峙固定部位であり、同じ符号（接合部位Ｅ１と接合部位Ｅ１というように）が互いに対峙して透明の粘着テープにより左右の縁を合わせ固定してなる形態もよい。
接合された前板部２と後支持部４の間に紐、バンド、テープなどのハンドル取付手段２４を横に移動可能に通すためのハンドル取付手段通部２５を形成している。
接合部位Ｅ１および接合部位Ｅ１を設けない形態とし、ハンドル取付手段通部２５を最上部に位置するようにする形態もよい。その分テーブル部８を下方に位置させることができる。
ロック片１３、ロック片１５はいずれか一方のみでも良い。
【００１１】
図４の（ｂ）図ないし（ｃ）図において、ハンドル取付手段２４は、例えば積水樹脂株式会社の商品名コートバンドがあげることができ、その材質および構造は、薄平形態の耐候性のある特殊樹脂からなる合成樹脂性紐本体２６と、この合成樹脂性紐本体２６に２筋以上（一般的には２筋〜３筋で幅が１０ｍｍ〜２０ｍｍが好適）で形成した、中にＰ．Ｐ（ポリプロピレン）製の芯材３２を内設してなる太筋部位２７ａ、２７ｂ、２７ｃとからなり、太筋部位２７ａ、２７ｂ、２７ｃ内には芯材としてＰ．Ｐ（ポリプロピレン）紐あるいはＰ．Ｐ（ポリプロピレン）バンドが内設されてなるビニール製紐である。別の見方をするならＰ．Ｐ（ポリプロピレン）紐あるいはＰ．Ｐ（ポリプロピレン）バンドに耐候性のある特殊樹脂をコーティングしたコートバンド（コート紐）である。
薄平らな芯材（１筋）に耐候性の特殊樹脂を薄平らにコーティングしてなる構造のものもよい。
以下に代表的な上記と同様なヒモ・バンドを紹介する。
＊積水樹脂株式会社 のコードバンド、材質および構造（ポリプロピレンの芯材に耐候性特殊樹脂を平紐形態でコーティング）、用途（ハウス押え）。
＊石本マオラン株式会社のマイカ線（登録商標）、材質（LDPE・HDPE複合）、用途（ハウス押え）。
＊合資会社 浅井染工場のブラックバンド、材質および構造（被膜はリニアポリエチレン樹脂を使用し、擦れ・被膜強度に優れています。被膜の中の糸にはPE400デニール原糸を使用。耐久性・引っ張り強度に優れています）、用途（ビニールハウス押えヒモ、結束用バンド）
＊シーアイ化成株式会社のスカイコートバンド、材質、構造および用途（EXはPO系の素材を使用した6芯入りの強力なバンドです。表面の凹凸が少ないのでフィルムのこすれ破れが防げます。幅の広い「面」で押さえる、農業用POフィルムに適した押さえバンドです。）
＊東罐興産のTAベルト（農PO用）、構造および用途（幅12ｃｍの広幅で、両側に補強糸を配した画期的なフィルム抑えベルトです。特に、こすれに弱いＰＯフィルムの抑えに最適です。）
＊大豊化学工業のタイレンバンド。
＊中部農材のキョージンバンド。
ハンドル取付手段２４は、一般的に園芸用、農業用、林業などで使用されているもので、木の枝の吊り支持、ビニールハウスの固定支持、結束バンド・紐などとして使用されている柔らか結束がし易い平紐形態のものであって、ホームセンターなどでの一巻き購入で通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い滑り止め効果を形成するものであるからして、低コスト、耐光、耐久、強靭性を有するとともに、ハンドルとの強い摩擦によってテーブルが容易には左右に傾きが起きない安定性を実現するハンドル取付手段として最適な機能を発揮するものである。
【００１２】
図４の（ａ）において、ハンドル取付手段通部２５に通されたハンドル取付手段２４の通しかたが、後支持部４に該ハンドル取付手段２４が回されてハンドル通し部位２８を形成し、該ハンドル取付手段２４の一方が右側から通されその一方の端が左側から外に出された左引張部位２９を形成し、該ハンドル取付手段２４の他方が左側から通されその一方の端が右側から外に出された右引張部位３０を形成し、前記ハンドル通し部位２８を引き広げてハンドルＡを通し、前記左引張部位２９と前記右引張部位３０を引っ張って該ハンドル通し部位２８を締めて後支持部４を該ハンドルＡに固定可能（取付可能）にしている。
ハンドル取付手段２４の両端には該両端が簡易テーブル１内に引き込まれてしまうのを止めるとともに、掴み引っ張りやすくするためのストッパー３１ａ、３１ｂが取り付けられている。ストッパー３１ａ、３１ｂはアクセントにもなるので、花形態、動物形態、キャラ形態など装飾的なものとするのが好ましい。
ハンドル通し部位２８を右引張部位３０と左引張部位２９あるいはいずれか一方を引っ張ることにより縮め、該ハンドル通し部位２８を引っ張ることによって該ハンドル通し部位２８（ループ）を広げることができるとともに、ハンドル取付手段通部２５に通されたハンドル取付手段２４の２本の部位が前板部と後支持部とに挟まれて、あるいはハンドル取付手段の２本の部位が絡まるなどして、摩擦状態（擦れ移動可能状態）とされているので、ハンドルＡを該ハンドル通し部位２８に通した形態で右引張部位３０と左引張部位２９を引っ張ることにより縮め該ハンドル通し部位２８（ループ）を縮め締め付け固定状態（取付状態）とでき、前記摩擦状態によって該締め付け固定状態を保持することができるものであるので、大きさや太さの異なるハンドルでも、取り付けるハンドルを他の太さ大きさのものに変えても（使用する自動車を替える）最適な締め付け状態で取り付け使用できる。
【００１３】
（発明を実施するための異なる形態）
次に、本発明を実施するための異なる形態について説明する。なお、これら本発明を実施するための異なる形態の説明に当たって、前述してある実施の形態と同一構成部分には同一符号を付して重複する説明を省略する。
【００１４】
＜第２の実施の形態＞
図６ないし図８に示す本発明を実施するための最良の第２の実施の形態において前記第１の実施の形態とおもに異なる点は、接着剤による接合部位である接合部位Ｅ１〜Ｅ４を設けない、差込孔１６、１７、１８、１９を設けないで、前板部２の左右側部に接合片３５ａ、３５ｂを設け、テーブル部８の左右側部の横折部７に近接する部位に接合片３６ａ、３６ｂを設け、接合片３５ａ、３５ｂに接着剤を塗布して前板部２と後支持部４を合わせた状態で該後支持部４に折りまわして接着して、前板部２と後支持部４の合わせ接合状態を固定し、接合片３６ａ、３６ｂに接着剤を塗布してテーブル下接合部１０とテーブル部８とを合わせた状態で該接合片３６ａ、３６ｂを折りまわして接着して、テーブル部８にテーブル下接合部１０の接合状態を固定し、前板部２と後支持部４に座席に座った使用者の腿に該前板部２および後支持部４を載せてテーブル使用形態にする場合に、差込片２２を差込通して膝に挟めるようにするための差込孔３８ａ、３８ｂを設けてなる簡易テーブル３７を形成した点にある。
ハンドルＡにセットした状態で、ロック片１３とロック片１５をクリップ３９ａ、３９ｂで前板部２および後支持部４に取り付けてテーブル部８をテーブル状態としそれを保持する。
【００１５】
＜第３の実施の形態＞
図９、図１０に示す本出願人が発明したところの第３実施の形態において前記第１の実施の形態とおもに異なる点は、前板部２、後支持部３、テーブル支持部６、テーブル部８、テーブル下接合部１０はそれぞれは分離した部材とし、横折部３、５、９、７を粘着テープ製部材、横折部であるヒンジー部が形成された合成樹脂製薄板部材などの横折部形成部材４２、４３、４４、４５により形成して、前板部２、後支持部３、テーブル支持部６、テーブル部８、テーブル下接合部１０は横折部形成部材４２、４３、４４、４５により連結されてなる構成とした簡易テーブル４６を形成した点にある。
テーブル形成状態においては、前板部２を後にして後支持部４を前（正面）とする形態とするために、横折部形成部材４２、４３は裏面に設け、横折部形成部材４４、４５は表面に設けた構成としている。
前板部２は短くしてハンドル取付手段通部２５を形成する幅とするのもよい。
図９においては、接合部位Ｅ１〜Ｅ４は省略している。
【００１６】
［付記Ａ］
［背景技術］
［０００２］
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片と、ハンドル寄り掛け板の上部側左右に設けられた数ｃｍの切り込みに入れられてハンドルに上から被せるようして該ハンドルが入るループを形成する真っ直ぐに張られた紐（以下「ハンドル取り付け紐」という。）と、前記左右の切り込み間に形成された折部と、この折部で後ろ側に折られてハンドル寄り掛け板の裏面に接着される部位とかなる簡易テーブル（図４５、図４６）が知られている。（例えば特許文献１）
［０００３］
ハンドル取り付け紐のループが固定された形態であるので、テーブルおよびハンドル寄り掛け板をハンドルと略同じ幅（一般的な普通乗用自動車および軽乗用自動車はハンドル径は３７ｃｍ〜３８ｃｍ）とした場合、甘く見て切り込みが２ｃｍとしても、ループを形成する紐の長さは３３ｃｍ〜３４ｃｍというハンドルの横幅よりも４ｃｍ短いものになっているものである。
ハンドルの横幅よりも４ｃｍ短い真っ直ぐに張られたハンドル取り付け紐により形成されたループに通されるハンドル部位は、ハンドルの厚みもあって該ハンドルの上部側に留まってしまうものであった。
テーブル部は使用しやすいハンドルの下部側位置にする必要があり、これを実現するために引用文献１の技術ではハンドル寄り掛け板の長さをハンドルと略同じないしそれより長いものとしなければならいものであった。これは、ハンドル寄り掛け板が３７ｃｍ以上と長すぎて、折畳み状態でも３７ｃｍ以上となり、Ａ４版の雑誌の付録にでき難い、社内の置き場所が限定されるなど、大きすぎるという欠点を有するものであった。
また、紐の結び目が外に露出して目障りである、全体の美観を損ねるという欠点を有するものであった。
また、テーブル部のテーブル状態を支持するハンドル寄り掛け板が３７ｃｍ以上と長いとともに、一枚板からなるものであるので、特にダンボール製部材で形成した場合、テーブル部に荷重を加えるとハンドル寄り掛け板が反り、安定性および堅固性に不安を感じさせてしまうという欠点を有するものであった。
また、ハンドル取り付け紐については特に限定はないが、一般的には木綿紐、合成樹脂製紐などの丸紐が考えられる。
しかし、これら丸紐はハンドルとの関係では十分な摩擦接触が得られないので、左右に荷重が掛るとテーブル部が傾きやすいという欠点を有するものであった。
また、摩擦の強いゴムバンドを使用することが考えられるが、ゴムバンドは切れ部位などが生じた場合にはその部分から一気に切断してしまう危険があり、高価であるという欠点を有するものである。
［特許文献１］  特開2004-345623号公報
［非特許文献１］  特に無し
［発明の開示］
［発明が解決しようとする課題］
［０００４］
本発明は以上のような従来技術の欠点に鑑み、ダンボール製部材などの高強度部材でない素材でも、ハンドル支持部（ハンドル寄り掛け板）の堅固な強さが得られるとともに該ハンドル支持部テーブルを大幅に短い形態とした簡易テーブルを提供することを目的としている。
［０００５］
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
［課題を解決するための手段］
［０００６］
上記目的を達成するために本発明は次に述べるような構成となっている。
＜付記Ａ１記載の発明＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルである。
＜付記Ａ２記載の発明＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブル。
＜付記Ａ３記載の発明＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブル。
＜付記Ａ４記載の発明＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブル。
［発明の効果］
［０００７］
以上の説明から明らかなように、本発明にあっては次に列挙する効果が得られる。
＜付記Ａ１記載の発明の効果＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルであるので、以下のような効果を奏する。
ハンドル取付手段がテーブル支持部の上部側に設けられるとともに、ハンドルの最大幅部位あるいは該最大幅部位近辺に装着できるようにループを該ハンドルの最大幅部位の大きさに合わせた形態とすることができるものであるので、ハンドル支持部の上部部位はハンドルの略中ほどに位置するようになり、よって従来の簡易テーブルの略半分とういう短いものにできる。
よって、テーブル部のハンドル支持部による支持状態は、従来の略半分の短さと２枚の板材による支持となるので、テーブル部のテーブル状態の支持が堅固で安定性のあるものにできるという効果を奏する。
すなわち、本発明の構成によって略Ａ４版の大きさに近いないしそれより少し大きい、Ａ４版雑誌の付録として活用できる大きさを実現し、また、コンパクトな形態により車内の置き場所を広げるものである。
具体的には、第１の実施の形態の簡易テーブルにおいては、折り畳んだ状態で２２ｃｍ（縦）×３０．５ｃｍ（横）を実現しており、これよりも小さいものも可能である。
＜付記Ａ２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブルであるので、付記Ａ１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜付記Ａ３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブルであるので、付記Ａ２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ａ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブルであるので、付記Ａ２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【００１７】
［付記Ｂ］
＜付記Ｂ１記載の発明の効果＞
自動車のハンドルに取り付けてテーブル状態を形成して使用する簡易テーブルであって、
ハンドルに支持される前板部と、
この前板部の裏面に接合された後支持部と、
前記前板部をハンドルに取り付け固定するための紐、バンド、テープなどのハンドル取付手段と、
前記前板部と前記後支持部との間で該前板部の上部側に形成された、前記ハンドル取付手段を横に移動可能に通してなるハンドル取付手段通部とからなることを特徴とする簡易テーブルであるので、以下のような効果を奏する。
（１）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
（２）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
＜付記Ｂ２記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ｂ１記載の簡易テーブルであるので、付記Ｂ１記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ｂ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ｂ１、２いずれか記載の簡易テーブルであるので、付記Ｂ１、２記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
［付記Ｃ］
＜付記Ｃ１記載の発明の効果＞
前板部と、
この前板部に第１横折部で連絡されるとともに該第１横折部で折れて該前板部の後ろ側に位置して自動車のハンドル上に支持される後支持部と、
この後支持部に第２横折部で連絡されるテーブル支持部と、
このテーブル支持部に第３の横折部で連絡される且つ該テーブル支持部に下側から支持されるとともに、奥側を前記前板部および後支持部あるいはいずれか一方に支持されてテーブル状態となるテーブル部とからなることを特徴とする簡易テーブルであるので、以下のような効果を奏する。
（１）テーブル形成状態にあっては、前板部の表面は使用者の正面向きである前向きに位置し、
上部側で後ろに第１の横折部で下向き折られて前記前板部の後に重なり位置した前記後支持部の表面は後ろ向きとなり、
前記後支持部の下部側で第２位横折部で前側に折り上げられたテーブル支持部の表面は使用者の正面向きである前向きに位置し、
前記テーブル支持部の上部側で第３の横折部で奥側に向けて折られたテーブル部の表面は上向きに位置するものである。
すなわち、テーブル状態である人から見える部位である前板部の表面、テーブル支持部の表面およびテーブル部の表面はテーブル形成前にあっては、同一表面であるという効果を奏する。
よって、テーブル形成前の展開状態にあっての同一面（表面）に印刷、貼り付けなどによる広告、模様などの表記を施すことによって表記面（表記を施すことが可能な表記可能面を含む）と、テーブル状態にあってはハンドルに縦状態で表記面が正面に位置して見え、テーブル部の上面もやはり表記面となるものである。すなわち、展開状態にあっての同一面である表面にのみ印刷、貼り付けなどを施した表記面とすることで、テーブル状態にあっては、ハンドル支持部面およびテーブル上面が表記面となるという効果を奏するものである。
裏面への印刷をしなくても、テーブル状態にあっては、人から見える表面部位が表記面となるので、表裏の両面印刷に比べて、印刷版の数、印刷工程、作業などが略半減とでき印刷費を軽減できるものである。
（２）裏面はテーブル状態においてその全面が表にならない隠れ面となるので、表面のような例えば光沢コートなどの見栄えや質感をよくするための高コストのコート処理を行わず、低コストの素材とできるので、その分低コスト化を実現するものである。
以上のことから明らかであるように、本発明の技術的思想（考え方）は、横折部で折りテーブル状態ないし棚状態（この形態もテーブル状態に含む。）とする折畳み形態の簡易テーブル（簡易棚を含む）において、該テーブル形成状態にあっては、縦状態面とテーブル上面とテーブル支持部面とが表面（表記可能同一面）とうい、展開状態（平状態）での同一面（表面）によって形成することができるというところにある。
このような、技術思想（考え方）は先行技術文献１を始めとする従来技術にないものである。
＜付記Ｃ２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ｃ１記載の簡易テーブルであるので、付記Ｃ１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜付記Ｃ３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ｃ２記載の簡易テーブルであるので、付記Ｃ２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ｃ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ｃ２、３いずれか記載の簡易テーブルであるので、付記Ｃ２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【産業上の利用可能性】
【００１８】
本発明は自動車のハンドルにセットして使用する簡易テーブルを製造する産業で利用される。
【図面の簡単な説明】
【００１９】
【図１】本発明を実施するための最良の第１の実施の形態の展開表面図および展開裏面図。
【図２】本発明を実施するための最良の第１の実施の形態の接合部位を接合した状態の側面図、接合部位を接合した状態の折畳み側面図およびハンドルに装着しテーブル状態とした側面図。
【図３】本発明を実施するための最良の第１の実施の形態のハンドルに装着しテーブル状態とした正面図。
【図４】本発明を実施するための最良の第１の実施の形態の腿の上に載せた使用状態を示す側面図。
【図５】本発明を実施するための最良の第１の実施の形態のハンドル取付手段通部とハンドル取付手段の摂りつけ状態を示す断面図（ａ）、ハンドル取付手段の断面図（ｂ）およびハンドル取付手段の他の形態の断面図（ｃ）。
【図６】本発明を実施するための最良の第２の実施の形態の展開表面図および展開裏面図。
【図７】本発明を実施するための最良の第２の実施の形態のハンドルに装着しテーブル状態とした側面図およびハンドルに装着しテーブル状態とした正面図。
【図８】本発明を実施するための最良の第２の実施の形態の腿の上に載せた使用状態を示す側面図。
【図９】本出願人が発明したところの第３実施の形態の展開表面図、展開裏面図おおび展開側面図。
【図１０】本出願人が発明したところの第３の実施の形態の接合部位を接合した状態の側面図、接合部位を接合した状態の折畳み側面図およびハンドルに装着しテーブル状態とした側面図。
【符号の説明】
【００２０】
Ａ：ハンドル、
Ｅ１〜Ｅ４：接合部位、
１：簡易テーブル、
２：前板部、
３：横折部、
４：後支持部、
５：横折部、
６：テーブル支持部、
７：横折部、
８：テーブル部、
９：横折部、
１０：テーブル下接合部、
１１：横折部、
１２：縦折部、
１３：ロック片、
１４：縦折部、
１５：ロック片、
１６：差込孔、
１７：差込孔、
１８：差込孔、
１９：差込孔、
２０：ドリンクホルダ孔、
２１：表記、
２２：差込片、
２４：ハンドル取付手段、
２５：ハンドル取付手段通部、
２６：合成樹脂性紐本体、
２７ａ、２７ｂ、２７ｃ、２７ｄ：太筋部位、
２８：ハンドル通し部位、
２９：左引張部位、
３０：右引張部位、
３１ａ、３１ｂ：ストッパー、
３２：芯材、
３５ａ、３５ｂ：接合片、
３６ａ、３６ｂ：接合片、
３７：簡易テーブル、
３８ａ、３８ｂ：差込孔、
３９ａ、３９ｂ：クリップ、
４２：横折部形成部材、
４３：横折部形成部材、
４４：横折部形成部材、
４５：横折部形成部材、
４６：簡易テーブル。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
ハンドル上に支持される後支持部（４）と、
この後支持部（４）の上部側と第１の横折部（３）で連絡された、第１の横折部（３）で前方に折り下げられて後支持部（４）の裏面と裏面を合わせた状態で、少なくとも下部側が後支持部（４）に接合固定されてなる前板部（２）と、
後支持部（４）の下部側と第２の横折部（５）で連絡された、第２の横折部（５）で前方に折上げられるテーブル支持部（６）と、
前板部（２）に設けられた第１の差込孔（１６）と、
後支持部（４）に設けられた、第１の差込孔（１６）と重なって差込孔を形成する第２の差込孔（１８）と、
テーブル支持部（６）に第３の横折部（７）で連絡された、第３の横折部（７）で前板部（２）に先端側を向けて折られその先端側を前板部（２）および後支持部（４）に支持され、下方からテーブル支持部（６）で支持されることによって、表面をテーブル面にしてテーブル状態とされるテーブル部（８）と、
このテーブル部（８）の前記先端側に第４の横折部（１１）で連絡された、第１の差込孔（１６）、第２の差込孔（１８）に差し込まれ第４の横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブル。
【手続補正２】
【補正対象書類名】明細書
【補正対象項目名】全文
【補正方法】変更
【補正の内容】
【発明の詳細な説明】
【技術分野】
【０００１】
本発明は、自動車のハンドルに取り付けて使用することができる簡易テーブルに関する。
【背景技術】
【０００２】
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片とからなるもので、一枚のダンボール製部材を一発打抜で形成されたものが知られている。（例えば特許文献１）
【０００３】
したがって、ハンドル寄り掛け板が正面となる表面である場合、テーブル部の上部面は裏面になるという欠点があった。
この欠点のために、広告をハンドル寄り掛け板の表面とテーブル部の上部面に印刷する場合には、一枚のダンボール製部材の表面と裏面の両面に印刷を施さなければならないのでコスト高になる、ハンドル寄り掛け板の表面とテーブル部の上部面を綺麗なコート仕上げにする場合には、ダンボール製部材の表面と裏面の両面にコートを施さなければならないのでコスト高になる、裏面を安価な素材にした場合にはテーブル面も安価な見栄えと質感の劣る素材になってしまい、見栄えと質感の悪いものになってしまうものであった。
また、簡易テーブルの形態形成したあとで印刷する、塗布する、広告印刷物を貼り付けるなどにおいては、ハンドル寄り掛け板が正面となる表面でおよびテーブル部の上部面にそれらを施す場合は、ハンドル寄り掛け板面に施し、さらに裏返して施す作業を行わなければならないことになり、作業効率性が悪いという問題を持つものであった。
【特許文献１】特開2004-345623号公報
【非特許文献１】特に無し
【発明の開示】
【発明が解決しようとする課題】
【０００４】
本発明は以上のような従来技術の欠点に鑑み、テーブルを形成する各部位が横折部により連結されて、該横折部での折りにより自動車のハンドルに装着した状態でテーブル状態とできる簡易テーブルにあって、ハンドル支持部の正面（表面）とテーブル部の上部面（表面）が展開状態にあって同一面となる簡易テーブルを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために本発明は次に述べるような構成となっている。
＜請求項１記載の発明＞
ハンドル上に支持される後支持部（４）と、
この後支持部（４）の上部側と第１の横折部（３）で連絡された、第１の横折部（３）で前方に折り下げられて後支持部（４）の裏面と裏面を合わせた状態で、少なくとも下部側が後支持部（４）に接合固定されてなる前板部（２）と、
後支持部（４）の下部側と第２の横折部（５）で連絡された、第２の横折部（５）で前方に折上げられるテーブル支持部（６）と、
前板部（２）に設けられた第１の差込孔（１６）と、
後支持部（４）に設けられた、第１の差込孔（１６）と重なって差込孔を形成する第２の差込孔（１８）と、
テーブル支持部（６）に第３の横折部（７）で連絡された、第３の横折部（７）で前板部（２）に先端側を向けて折られその先端側を前板部（２）および後支持部（４）に支持され、下方からテーブル支持部（６）で支持されることによって、表面をテーブル面にしてテーブル状態とされるテーブル部（８）と、
このテーブル部（８）の前記先端側に第４の横折部（１１）で連絡された、第１の差込孔（１６）、第２の差込孔（１８）に差し込まれ第４の横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブル
である。
横折部は、一枚の板材を横折部となる部位を押し潰したり熱変形などで薄くしたりして形成した折目、合成樹脂製部材の一体成型により形成したヒンジ部、別体である板材を粘着テープ、紐部材などで折れるように連結して形成した該粘着テープ部分、該紐部分で形成した折畳み形態など、折畳み形態を実現するものの全ての形態を含むものである。
素材は、紙製ダンボール部材、プラスチック製ダンボール部材、木製板部材、合成樹脂製部材の一体成型によるものなど多様な部材が使用できる。
また、後支持部、テーブル支持部は枠部材でも良い。
また、第１横折部を始めとする各横折部は一箇所の横折部だけに限定するものではなく、間隔をあけて設けられた複数の横折部からなる形態も、本発明の技術的範疇に含まれるものである。
【発明の効果】
【０００７】
以上の説明から明らかなように、本発明にあっては次に列挙する効果が得られる。
＜請求項１記載の発明の効果＞
ハンドル上に支持される後支持部（４）と、
この後支持部（４）の上部側と第１の横折部（３）で連絡された、第１の横折部（３）で前方に折り下げられて後支持部（４）の裏面と裏面を合わせた状態で、少なくとも下部側が後支持部（４）に接合固定されてなる前板部（２）と、
後支持部（４）の下部側と第２の横折部（５）で連絡された、第２の横折部（５）で前方に折上げられるテーブル支持部（６）と、
前板部（２）に設けられた第１の差込孔（１６）と、
後支持部（４）に設けられた、第１の差込孔（１６）と重なって差込孔を形成する第２の差込孔（１８）と、
テーブル支持部（６）に第３の横折部（７）で連絡された、第３の横折部（７）で前板部（２）に先端側を向けて折られその先端側を前板部（２）および後支持部（４）に支持され、下方からテーブル支持部（６）で支持されることによって、表面をテーブル面にしてテーブル状態とされるテーブル部（８）と、
このテーブル部（８）の前記先端側に第４の横折部（１１）で連絡された、第１の差込孔（１６）、第２の差込孔（１８）に差し込まれ第４の横折部（１１）で折られて抜けないようにされることでテーブル部（８）のテーブル状態を支持する差込片（２２）とからなるとともに、
前板部（２）が差込孔（１８）より下方に延びた長さであることを特徴とする簡易テーブルであるので、以下のような効果を奏する。
１．テーブル形成状態にあっては、前板部（２）の表面は使用者の正面向きである前向きに位置し、
上部側で後ろに横折部（３）で下向き折られて前板部（２）の後に重なり位置した後支持部（４）の表面は後ろ向きとなり、
後支持部（４）の下部側で横折部（５）で前側に折り上げられたテーブル支持部（６）の表面は使用者の正面向きである前向きに位置し、
テーブル支持部（６）の上部側で横折部（７）で奥側に向けて折られたテーブル部（８）の表面は上向きに位置するものである。
すなわち、テーブル状態である人から見える部位である前板部（２）の表面、テーブル支持部（６）の表面およびテーブル部（８）の表面はテーブル形成前にあっては、同一表面であるという効果を奏する。
よって、テーブル形成前の展開状態にあっての同一面（表面）に印刷、貼り付けなどによる広告、模様などの表記を施すことによって表記面（表記を施すことが可能な表記可能面を含む）と、テーブル状態にあってはハンドルに縦状態で表記面が正面に位置して見え、テーブル部（８）の上面もやはり表記面となるものである。すなわち、展開状態にあっての同一面である表面にのみ印刷、貼り付けなどを施した表記面とすることで、テーブル状態にあっては、ハンドル支持部面およびテーブル上面が表記面となるという効果を奏するものである。
裏面への印刷をしなくても、テーブル状態にあっては、人から見える表面部位が表記面となるので、表裏の両面印刷に比べて、印刷版の数、印刷工程、作業などが略半減とでき印刷費を軽減できるものである。
２．裏面はテーブル状態においてその全面が表にならない隠れ面となるので、表面のような例えば光沢コートなどの見栄えや質感をよくするための高コストのコート処理を行わず、低コストの素材とできるので、その分低コスト化を実現するものである。
以上のことから明らかであるように、本発明の技術的思想（考え方）は、横折部で折りテーブル状態ないし棚状態（この形態もテーブル状態に含む。）とする折畳み形態の簡易テーブル（簡易棚を含む）において、該テーブル形成状態にあっては、縦状態面とテーブル上面とテーブル支持部面とが表面（表記可能同一面）とうい、展開状態（平状態）での同一面（表面）によって形成することができるというところにある。
このような、技術思想（考え方）は先行技術文献１を始めとする従来技術にないものである。
【発明を実施するための最良の形態】
【０００８】
以下、図面に示す発明を実施するための最良の形態により、本発明を詳細に説明する。ただし、本発明はこれらのみに限定されるものではない。
【０００９】
＜第１の実施の形態＞
図１ないし図５に示す本発明を実施するための最良の第１の実施の形態において、１は簡易テーブルであり該簡易テーブル１は一枚のダンボール製板部材を一回の打抜成形により形成した、一枚のダンボール製板部材からなるものである。
簡易テーブル１は、
前板部２と、
この前板部２に横折部３で連絡されるとともに該横折部３で折れて該前板部２の後ろ側に位置して自動車のハンドルＡ側に支持される後支持部４と、
前板部２と該前板部２２に重ね合わされた後支持部４で形成されるハンドル支持部と、
前記後支持部４に横折部５で連絡されるテーブル支持部６と、
このテーブル支持部６に横折部９および横折部７とその間のテーブル下接合部１０で連絡される、且つ、該テーブル支持部６に下側から略中央を支持されるとともに、奥側を前記前板部２および後支持部３（あるいはいずれか一方に支持される形態もよい）テーブル状態となるテーブル部８と、
前記テーブル支持部６に設けられた横折部９と、
この横折部９と前記横折部７の間に形成されたテーブル部８の底部に接着、粘着テープ、紐などにより接合されてなるテーブル下接合部１０と、
前記テーブル部８の前記板部２あるいは前記後支持部４に支持されて該テーブル部８のテーブル状態を保持状態とするための、該テーブル部８の中程に横折部１１で連絡された差込片２２と、
この差込片２２の左に縦折部１２で連絡されたロック片１３と、
前記差込片２２の右に縦折部１４で連絡されたロック片１５と、
前記前板部２のテーブル状態での下部側に設けられた前記ロック片１３、１５を折重ねて差込片２２を差し込むための差込孔１６、１７と、
前記後支持部４のテーブル状態での下部側に設けられた、前記差込孔１６、１７に重なる差込孔１８、１９と、
前記テーブル部８に開けられたドリンクホルダ孔２０とからなっている。
展開状態における表面図（図中右図）の正面を表記面（表記可能面）として、米字模様の表記２１が全面印刷されている。
展開状態における表面図（図中右図）の正面を表記面（表記可能面）として、米字模様の表記２１を前板部２とテーブル部８のみに表記２１を印刷する、貼り付けるということをおこなう形態も本発明の技術的範疇に含まれるものである。
横折部９と横折部７との二つの横折部は、請求項１の第３の横折部に対応している。すなわち請求項１の第３の折部は、第１の実施の形態のような横折部９と横折部７という、複数の横折部により形成されてなる形態も含むものである。
折り畳んだ状態で２２ｃｍ（縦）×３０．５ｃｍ（横）を実現しており、これよりも小さいものも可能である。
【００１０】
図１の裏面図において、Ｅ１〜Ｅ４は接合部位であり、同じ符号（接合部位Ｅ１と接合部位Ｅ１というように）が互いに対峙して接着剤により接着される接合部位となる。いずれか一方にあるいは両方に接着剤が塗布される。
あるいは、接合部位Ｅ１〜Ｅ４は対峙固定部位であり、同じ符号（接合部位Ｅ１と接合部位Ｅ１というように）が互いに対峙して透明の粘着テープにより左右の縁を合わせ固定してなる形態もよい。
接合された前板部２と後支持部４の間に紐、バンド、テープなどのハンドル取付手段２４を横に移動可能に通すためのハンドル取付手段通部２５を形成している。
接合部位Ｅ１および接合部位Ｅ１を設けない形態とし、ハンドル取付手段通部２５を最上部に位置するようにする形態もよい。その分テーブル部８を下方に位置させることができる。
ロック片１３、ロック片１５はいずれか一方のみでも良い。
【００１１】
図４の（ｂ）図ないし（ｃ）図において、ハンドル取付手段２４は、例えば積水樹脂株式会社の商品名コートバンドがあげることができ、その材質および構造は、薄平形態の耐候性のある特殊樹脂からなる合成樹脂性紐本体２６と、この合成樹脂性紐本体２６に２筋以上（一般的には２筋〜３筋で幅が１０ｍｍ〜２０ｍｍが好適）で形成した、中にＰ．Ｐ（ポリプロピレン）製の芯材３２を内設してなる太筋部位２７ａ、２７ｂ、２７ｃとからなり、太筋部位２７ａ、２７ｂ、２７ｃ内には芯材としてＰ．Ｐ（ポリプロピレン）紐あるいはＰ．Ｐ（ポリプロピレン）バンドが内設されてなるビニール製紐である。別の見方をするならＰ．Ｐ（ポリプロピレン）紐あるいはＰ．Ｐ（ポリプロピレン）バンドに耐候性のある特殊樹脂をコーティングしたコートバンド（コート紐）である。
薄平らな芯材（１筋）に耐候性の特殊樹脂を薄平らにコーティングしてなる構造のものもよい。
以下に代表的な上記と同様なヒモ・バンドを紹介する。
＊積水樹脂株式会社 のコードバンド、材質および構造（ポリプロピレンの芯材に耐候性特殊樹脂を平紐形態でコーティング）、用途（ハウス押え）。
＊石本マオラン株式会社のマイカ線（登録商標）、材質（LDPE・HDPE複合）、用途（ハウス押え）。
＊合資会社 浅井染工場のブラックバンド、材質および構造（被膜はリニアポリエチレン樹脂を使用し、擦れ・被膜強度に優れています。被膜の中の糸にはPE400デニール原糸を使用。耐久性・引っ張り強度に優れています）、用途（ビニールハウス押えヒモ、結束用バンド）
＊シーアイ化成株式会社のスカイコートバンド、材質、構造および用途（EXはPO系の素材を使用した6芯入りの強力なバンドです。表面の凹凸が少ないのでフィルムのこすれ破れが防げます。幅の広い「面」で押さえる、農業用POフィルムに適した押さえバンドです。）
＊東罐興産のTAベルト（農PO用）、構造および用途（幅12ｃｍの広幅で、両側に補強糸を配した画期的なフィルム抑えベルトです。特に、こすれに弱いＰＯフィルムの抑えに最適です。）
＊大豊化学工業のタイレンバンド。
＊中部農材のキョージンバンド。
ハンドル取付手段２４は、一般的に園芸用、農業用、林業などで使用されているもので、木の枝の吊り支持、ビニールハウスの固定支持、結束バンド・紐などとして使用されている柔らか結束がし易い平紐形態のものであって、ホームセンターなどでの一巻き購入で通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い滑り止め効果を形成するものであるからして、低コスト、耐光、耐久、強靭性を有するとともに、ハンドルとの強い摩擦によってテーブルが容易には左右に傾きが起きない安定性を実現するハンドル取付手段として最適な機能を発揮するものである。
【００１２】
図４の（ａ）において、ハンドル取付手段通部２５に通されたハンドル取付手段２４の通しかたが、後支持部４に該ハンドル取付手段２４が回されてハンドル通し部位２８を形成し、該ハンドル取付手段２４の一方が右側から通されその一方の端が左側から外に出された左引張部位２９を形成し、該ハンドル取付手段２４の他方が左側から通されその一方の端が右側から外に出された右引張部位３０を形成し、前記ハンドル通し部位２８を引き広げてハンドルＡを通し、前記左引張部位２９と前記右引張部位３０を引っ張って該ハンドル通し部位２８を締めて後支持部４を該ハンドルＡに固定可能（取付可能）にしている。
ハンドル取付手段２４の両端には該両端が簡易テーブル１内に引き込まれてしまうのを止めるとともに、掴み引っ張りやすくするためのストッパー３１ａ、３１ｂが取り付けられている。ストッパー３１ａ、３１ｂはアクセントにもなるので、花形態、動物形態、キャラ形態など装飾的なものとするのが好ましい。
ハンドル通し部位２８を右引張部位３０と左引張部位２９あるいはいずれか一方を引っ張ることにより縮め、該ハンドル通し部位２８を引っ張ることによって該ハンドル通し部位２８（ループ）を広げることができるとともに、ハンドル取付手段通部２５に通されたハンドル取付手段２４の２本の部位が前板部と後支持部とに挟まれて、あるいはハンドル取付手段の２本の部位が絡まるなどして、摩擦状態（擦れ移動可能状態）とされているので、ハンドルＡを該ハンドル通し部位２８に通した形態で右引張部位３０と左引張部位２９を引っ張ることにより縮め該ハンドル通し部位２８（ループ）を縮め締め付け固定状態（取付状態）とでき、前記摩擦状態によって該締め付け固定状態を保持することができるものであるので、大きさや太さの異なるハンドルでも、取り付けるハンドルを他の太さ大きさのものに変えても（使用する自動車を替える）最適な締め付け状態で取り付け使用できる。
【００１３】
（発明を実施するための異なる形態）
次に、本発明を実施するための異なる形態について説明する。なお、これら本発明を実施するための異なる形態の説明に当たって、前述してある実施の形態と同一構成部分には同一符号を付して重複する説明を省略する。
【００１４】
＜第２の実施の形態＞
図６ないし図８に示す本発明を実施するための最良の第２の実施の形態において前記第１の実施の形態とおもに異なる点は、接着剤による接合部位である接合部位Ｅ１〜Ｅ４を設けない、差込孔１６、１７、１８、１９を設けないで、前板部２の左右側部に接合片３５ａ、３５ｂを設け、テーブル部８の左右側部の横折部７に近接する部位に接合片３６ａ、３６ｂを設け、接合片３５ａ、３５ｂに接着剤を塗布して前板部２と後支持部４を合わせた状態で該後支持部４に折りまわして接着して、前板部２と後支持部４の合わせ接合状態を固定し、接合片３６ａ、３６ｂに接着剤を塗布してテーブル下接合部１０とテーブル部８とを合わせた状態で該接合片３６ａ、３６ｂを折りまわして接着して、テーブル部８にテーブル下接合部１０の接合状態を固定し、前板部２と後支持部４に座席に座った使用者の腿に該前板部２および後支持部４を載せてテーブル使用形態にする場合に、差込片２２を差込通して膝に挟めるようにするための差込孔３８ａ、３８ｂを設けてなる簡易テーブル３７を形成した点にある。
ハンドルＡにセットした状態で、ロック片１３とロック片１５をクリップ３９ａ、３９ｂで前板部２および後支持部４に取り付けてテーブル部８をテーブル状態としそれを保持する。
【００１５】
＜第３の実施の形態＞
図９、図１０に示す本出願人が発明したところの第３実施の形態において前記第１の実施の形態とおもに異なる点は、前板部２、後支持部３、テーブル支持部６、テーブル部８、テーブル下接合部１０はそれぞれは分離した部材とし、横折部３、５、９、７を粘着テープ製部材、横折部であるヒンジー部が形成された合成樹脂製薄板部材などの横折部形成部材４２、４３、４４、４５により形成して、前板部２、後支持部３、テーブル支持部６、テーブル部８、テーブル下接合部１０は横折部形成部材４２、４３、４４、４５により連結されてなる構成とした簡易テーブル４６を形成した点にある。
テーブル形成状態においては、前板部２を後にして後支持部４を前（正面）とする形態とするために、横折部形成部材４２、４３は裏面に設け、横折部形成部材４４、４５は表面に設けた構成としている。
前板部２は短くしてハンドル取付手段通部２５を形成する幅とするのもよい。
図９においては、接合部位Ｅ１〜Ｅ４は省略している。
【００１６】
［付記Ａ］
［背景技術］
［０００２］
従来の簡易テーブルとして、自動車のハンドルの前部に保持するハンドル寄り掛け板と、このハンドル寄り掛け部の下部位であるテーブル支持部折り目で折られるように設けられたテーブル支持部と、このテーブル支持板の前部位であるテーブル折り目で折られるように設けられたテーブル部と、このテーブル部のテーブル状態にあって奥側に位置して前記ハンドル寄り掛け板に設けた片差込孔に差し込まれハンドルと該ハンドル寄り掛け板との間に折挟まれた状態とされることによって、該ハンドル部のハンドル状態を支持する差込片と、ハンドル寄り掛け板の上部側左右に設けられた数ｃｍの切り込みに入れられてハンドルに上から被せるようして該ハンドルが入るループを形成する真っ直ぐに張られた紐（以下「ハンドル取り付け紐」という。）と、前記左右の切り込み間に形成された折部と、この折部で後ろ側に折られてハンドル寄り掛け板の裏面に接着される部位とかなる簡易テーブル（図４５、図４６）が知られている。（例えば特許文献１）
［０００３］
ハンドル取り付け紐のループが固定された形態であるので、テーブルおよびハンドル寄り掛け板をハンドルと略同じ幅（一般的な普通乗用自動車および軽乗用自動車はハンドル径は３７ｃｍ〜３８ｃｍ）とした場合、甘く見て切り込みが２ｃｍとしても、ループを形成する紐の長さは３３ｃｍ〜３４ｃｍというハンドルの横幅よりも４ｃｍ短いものになっているものである。
ハンドルの横幅よりも４ｃｍ短い真っ直ぐに張られたハンドル取り付け紐により形成されたループに通されるハンドル部位は、ハンドルの厚みもあって該ハンドルの上部側に留まってしまうものであった。
テーブル部は使用しやすいハンドルの下部側位置にする必要があり、これを実現するために引用文献１の技術ではハンドル寄り掛け板の長さをハンドルと略同じないしそれより長いものとしなければならいものであった。これは、ハンドル寄り掛け板が３７ｃｍ以上と長すぎて、折畳み状態でも３７ｃｍ以上となり、Ａ４版の雑誌の付録にでき難い、社内の置き場所が限定されるなど、大きすぎるという欠点を有するものであった。
また、紐の結び目が外に露出して目障りである、全体の美観を損ねるという欠点を有するものであった。
また、テーブル部のテーブル状態を支持するハンドル寄り掛け板が３７ｃｍ以上と長いとともに、一枚板からなるものであるので、特にダンボール製部材で形成した場合、テーブル部に荷重を加えるとハンドル寄り掛け板が反り、安定性および堅固性に不安を感じさせてしまうという欠点を有するものであった。
また、ハンドル取り付け紐については特に限定はないが、一般的には木綿紐、合成樹脂製紐などの丸紐が考えられる。
しかし、これら丸紐はハンドルとの関係では十分な摩擦接触が得られないので、左右に荷重が掛るとテーブル部が傾きやすいという欠点を有するものであった。
また、摩擦の強いゴムバンドを使用することが考えられるが、ゴムバンドは切れ部位などが生じた場合にはその部分から一気に切断してしまう危険があり、高価であるという欠点を有するものである。
［特許文献１］  特開2004-345623号公報
［非特許文献１］  特に無し
［発明の開示］
［発明が解決しようとする課題］
［０００４］
本発明は以上のような従来技術の欠点に鑑み、ダンボール製部材などの高強度部材でない素材でも、ハンドル支持部（ハンドル寄り掛け板）の堅固な強さが得られるとともに該ハンドル支持部テーブルを大幅に短い形態とした簡易テーブルを提供することを目的としている。
［０００５］
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
［課題を解決するための手段］
［０００６］
上記目的を達成するために本発明は次に述べるような構成となっている。
＜付記Ａ１記載の発明＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルである。
＜付記Ａ２記載の発明＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブル。
＜付記Ａ３記載の発明＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブル。
＜付記Ａ４記載の発明＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブル。
［発明の効果］
［０００７］
以上の説明から明らかなように、本発明にあっては次に列挙する効果が得られる。
＜付記Ａ１記載の発明の効果＞
自動車のハンドルに取り付けてテーブル状態を形成して使用する簡易テーブルであって、
前板部、この前板部の後ろ側に位置される板形態の後支持部とからなるハンドルに支持されるハンドル支持部と、
このハンドル支持部の下部側で支持されたテーブル支持部と、
このテーブル支持部に下側から支持されるとともに、奥側を合わせ状態にある前記前板部と前記後支持部によって支持されてテーブル状態となるテーブル部と、
前記ハンドル支持部の上部側に設けられた、ハンドルに取り付けるためのループを形成する紐部材、バンド部材などからなるハンドル取付手段とからなり、
前記ハンドル取付手段が取り付けるハンドルに合わせて該ハンドル取付手段により形成するループの大きさを、結び結束により固定するあるいは該ループの大きさを調節可能とすることによって、該ハンドルの最大幅部位あるいは該最大幅部位近辺に装着できるようにしてなることを特徴とする簡易テーブルであるので、以下のような効果を奏する。
ハンドル取付手段がテーブル支持部の上部側に設けられるとともに、ハンドルの最大幅部位あるいは該最大幅部位近辺に装着できるようにループを該ハンドルの最大幅部位の大きさに合わせた形態とすることができるものであるので、ハンドル支持部の上部部位はハンドルの略中ほどに位置するようになり、よって従来の簡易テーブルの略半分とういう短いものにできる。
よって、テーブル部のハンドル支持部による支持状態は、従来の略半分の短さと２枚の板材による支持となるので、テーブル部のテーブル状態の支持が堅固で安定性のあるものにできるという効果を奏する。
すなわち、本発明の構成によって略Ａ４版の大きさに近いないしそれより少し大きい、Ａ４版雑誌の付録として活用できる大きさを実現し、また、コンパクトな形態により車内の置き場所を広げるものである。
具体的には、第１の実施の形態の簡易テーブルにおいては、折り畳んだ状態で２２ｃｍ（縦）×３０．５ｃｍ（横）を実現しており、これよりも小さいものも可能である。
＜付記Ａ２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ａ１記載の簡易テーブルであるので、付記Ａ１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜付記Ａ３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ａ２記載の簡易テーブルであるので、付記Ａ２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ａ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ａ２、３いずれか記載の簡易テーブルであるので、付記Ａ２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【００１７】
［付記Ｂ］
＜付記Ｂ１記載の発明の効果＞
自動車のハンドルに取り付けてテーブル状態を形成して使用する簡易テーブルであって、
ハンドルに支持される前板部と、
この前板部の裏面に接合された後支持部と、
前記前板部をハンドルに取り付け固定するための紐、バンド、テープなどのハンドル取付手段と、
前記前板部と前記後支持部との間で該前板部の上部側に形成された、前記ハンドル取付手段を横に移動可能に通してなるハンドル取付手段通部とからなることを特徴とする簡易テーブルであるので、以下のような効果を奏する。
（１）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
（２）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
＜付記Ｂ２記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ｂ１記載の簡易テーブルであるので、付記Ｂ１記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ｂ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ｂ１、２いずれか記載の簡易テーブルであるので、付記Ｂ１、２記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
［付記Ｃ］
＜付記Ｃ１記載の発明の効果＞
前板部と、
この前板部に第１横折部で連絡されるとともに該第１横折部で折れて該前板部の後ろ側に位置して自動車のハンドル上に支持される後支持部と、
この後支持部に第２横折部で連絡されるテーブル支持部と、
このテーブル支持部に第３の横折部で連絡される且つ該テーブル支持部に下側から支持されるとともに、奥側を前記前板部および後支持部あるいはいずれか一方に支持されてテーブル状態となるテーブル部とからなることを特徴とする簡易テーブルであるので、以下のような効果を奏する。
（１）テーブル形成状態にあっては、前板部の表面は使用者の正面向きである前向きに位置し、
上部側で後ろに第１の横折部で下向き折られて前記前板部の後に重なり位置した前記後支持部の表面は後ろ向きとなり、
前記後支持部の下部側で第２位横折部で前側に折り上げられたテーブル支持部の表面は使用者の正面向きである前向きに位置し、
前記テーブル支持部の上部側で第３の横折部で奥側に向けて折られたテーブル部の表面は上向きに位置するものである。
すなわち、テーブル状態である人から見える部位である前板部の表面、テーブル支持部の表面およびテーブル部の表面はテーブル形成前にあっては、同一表面であるという効果を奏する。
よって、テーブル形成前の展開状態にあっての同一面（表面）に印刷、貼り付けなどによる広告、模様などの表記を施すことによって表記面（表記を施すことが可能な表記可能面を含む）と、テーブル状態にあってはハンドルに縦状態で表記面が正面に位置して見え、テーブル部の上面もやはり表記面となるものである。すなわち、展開状態にあっての同一面である表面にのみ印刷、貼り付けなどを施した表記面とすることで、テーブル状態にあっては、ハンドル支持部面およびテーブル上面が表記面となるという効果を奏するものである。
裏面への印刷をしなくても、テーブル状態にあっては、人から見える表面部位が表記面となるので、表裏の両面印刷に比べて、印刷版の数、印刷工程、作業などが略半減とでき印刷費を軽減できるものである。
（２）裏面はテーブル状態においてその全面が表にならない隠れ面となるので、表面のような例えば光沢コートなどの見栄えや質感をよくするための高コストのコート処理を行わず、低コストの素材とできるので、その分低コスト化を実現するものである。
以上のことから明らかであるように、本発明の技術的思想（考え方）は、横折部で折りテーブル状態ないし棚状態（この形態もテーブル状態に含む。）とする折畳み形態の簡易テーブル（簡易棚を含む）において、該テーブル形成状態にあっては、縦状態面とテーブル上面とテーブル支持部面とが表面（表記可能同一面）とうい、展開状態（平状態）での同一面（表面）によって形成することができるというところにある。
このような、技術思想（考え方）は先行技術文献１を始めとする従来技術にないものである。
＜付記Ｃ２記載の発明の効果＞
前板部と後支持部が接着剤、粘着剤、ステープラー針、粘着テープ、結束紐などの接合手段により接合され、上部に左右に紐、バンド、テープなどのハンドル取付手段を通すためのハンドル取付手段通部を形成し、このハンドル取付手段通部に前記ハンドル取付手段を通し設けてなることを特徴とする付記Ｃ１記載の簡易テーブルであるので、付記Ｃ１記載の発明の効果と同様な効果を奏する。
（１）ハンドル取付手段が前板部の裏側に位置して隠される形態を実現しているので、広告などの表記面となる前板表面およびテーブル状態とした形態の全体的なあるいは部分的な美観を悪くすることがない形態を実現する。
（２）ハンドルに後支持部を当て状態としてハンドル取付手段をハンドルに回し端部を端方で結び（結び目形成）そのハンドル通し固定ループを形成した形態とでき、その結び目は該ハンドル通し固定ループ（ハンドル通し部位）を回すことにより、ハンドル取付手段通部内に移動入れてしまうことができる。よって、美観を悪くする結び目を隠した見栄えのよいものにすることができるという形態を実現する。
＜付記Ｃ３記載の発明の効果＞
ハンドル取付手段通部に通されたハンドル取付手段の通しかたが、後支持部に該ハンドル取付手段が回されてハンドル通し部位を形成し、該ハンドル取付手段の一方が右側から通されその一方の端が左側から外に出された左引張部位を形成し、該ハンドル取付手段の他方が左側から通されその一方の端が右側から外に出された右引張部位を形成し、前記ハンドル通し部位を引き広げてハンドルを通し、前記左引張部位と前記右引張部位を引っ張って該ハンドル通し部位を締めて後支持部を該ハンドルに固定可能にしたことを特徴とする付記Ｃ２記載の簡易テーブルであるので、付記Ｃ２記載の発明の効果と同様な効果を奏するとともに次に述べるような効果を奏する。
すなわち、ハンドル通し部位を右引張部位と左引張部位を引っ張ることにより縮め、該ハンドル通し部位を引っ張ることによって該ハンドル通し部位（ループ）を広げることができるとともに、ハンドル取付手段通部に通されたハンドル取付手段の２本の部位が前板部と後支持部とに挟まれて、あるいはハンドル取付手段の２本の部位が絡まるなどして、摩擦状態とされているので、ハンドルを該ハンドル通し部位に通した形態で右引張部位と左引張部位を引っ張ることにより縮め該ハンドル通し部位（ループ）を縮め締め付け固定状態とでき、前記摩擦状態によって該締め付け固定状態を保持することができという効果を奏するので、大きさや太さの異なるハンドルでも、取り付けるハンドルを他の太さ大きさのものに変えても（使用する自動車を替える）最適な締め付け状態で取り付け使用できる。
＜付記Ｃ４記載の発明の効果＞
ハンドル取付手段が、薄平形態の合成樹脂性紐本体と、この合成樹脂性紐本体に１筋本以上で形成した、該合成樹脂性紐本体に内設した強靭な芯材あるは太筋部位とからなるビニール製紐であることを特徴とする付記Ｃ２、３いずれか記載の簡易テーブルであるので、付記Ｃ２、３記載の発明と同様な効果を奏するとともに、次のような効果を奏する。
薄平形態の合成樹脂性紐本体と、この合成樹脂性紐本体に一筋以上の太筋部位を形成したビニール製紐は、一般的に園芸用、農業用、林業などで使用されているもので、木の枝の吊り支持、ビニールハウスの固定支持などとして使用されているものであって、通常価格でも５００ｍが３００円程度〜５００円程度と極めて安価なものであるとともに、耐光性、強靭性があり、それも一部に切り込みが入っても強い力で引っ張っても容易には切れない強靭性であり、薄くかつハンドルとの接触部位においては強い摩擦を形成するものであるからして、低コスト、耐光、耐久、強靭性を有するとともに、ハンドルとの強い摩擦（滑り止め効果）によってテーブルが容易には左右に傾きが起きない顕著な安定性を実現するハンドル取付手段として最適な機能を発揮するものである。
これによって、ハンドルに合ったハンドル取付手段ループを結び形成して固定化することにより、ハンドルの上からハンドル取付手段ループを被せるようしてハンドルにする簡単スピーディーな装着操作を実現し、且つ、上に持ち上げるだけの簡単スピーディーな取外し操作を実現するものである。
【産業上の利用可能性】
【００１８】
本発明は自動車のハンドルにセットして使用する簡易テーブルを製造する産業で利用される。
【図面の簡単な説明】
【００１９】
【図１】本発明を実施するための最良の第１の実施の形態の展開表面図および展開裏面図。
【図２】本発明を実施するための最良の第１の実施の形態の接合部位を接合した状態の側面図、接合部位を接合した状態の折畳み側面図およびハンドルに装着しテーブル状態とした側面図。
【図３】本発明を実施するための最良の第１の実施の形態のハンドルに装着しテーブル状態とした正面図。
【図４】本発明を実施するための最良の第１の実施の形態の腿の上に載せた使用状態を示す側面図。
【図５】本発明を実施するための最良の第１の実施の形態のハンドル取付手段通部とハンドル取付手段の摂りつけ状態を示す断面図（ａ）、ハンドル取付手段の断面図（ｂ）およびハンドル取付手段の他の形態の断面図（ｃ）。
【図６】本発明を実施するための最良の第２の実施の形態の展開表面図および展開裏面図。
【図７】本発明を実施するための最良の第２の実施の形態のハンドルに装着しテーブル状態とした側面図およびハンドルに装着しテーブル状態とした正面図。
【図８】本発明を実施するための最良の第２の実施の形態の腿の上に載せた使用状態を示す側面図。
【図９】本出願人が発明したところの第３実施の形態の展開表面図、展開裏面図おおび展開側面図。
【図１０】本出願人が発明したところの第３の実施の形態の接合部位を接合した状態の側面図、接合部位を接合した状態の折畳み側面図およびハンドルに装着しテーブル状態とした側面図。
【符号の説明】
【００２０】
Ａ：ハンドル、
Ｅ１〜Ｅ４：接合部位、
１：簡易テーブル、
２：前板部、
３：横折部、
４：後支持部、
５：横折部、
６：テーブル支持部、
７：横折部、
８：テーブル部、
９：横折部、
１０：テーブル下接合部、
１１：横折部、
１２：縦折部、
１３：ロック片、
１４：縦折部、
１５：ロック片、
１６：差込孔、
１７：差込孔、
１８：差込孔、
１９：差込孔、
２０：ドリンクホルダ孔、
２１：表記、
２２：差込片、
２４：ハンドル取付手段、
２５：ハンドル取付手段通部、
２６：合成樹脂性紐本体、
２７ａ、２７ｂ、２７ｃ、２７ｄ：太筋部位、
２８：ハンドル通し部位、
２９：左引張部位、
３０：右引張部位、
３１ａ、３１ｂ：ストッパー、
３２：芯材、
３５ａ、３５ｂ：接合片、
３６ａ、３６ｂ：接合片、
３７：簡易テーブル、
３８ａ、３８ｂ：差込孔、
３９ａ、３９ｂ：クリップ、
４２：横折部形成部材、
４３：横折部形成部材、
４４：横折部形成部材、
４５：横折部形成部材、
４６：簡易テーブル。